(57)【要約】【課題】モバイルサーバー型放送の視聴者適応型の送信装置及び受信装置を提供する。【解決手段】本発明の受信装置は、視聴者属性情報に即した番組情報に関連付けられた、該番組情報のチャンネルスキャンの情報、及び該番組情報を選局するチャンネルの情報を提示する外部情報を事前に所定の情報提供媒体から取得する手段（Ｓ１１）と、外部情報の取得と同時に、チャンネルスキャンの情報及び選局するチャンネルの情報に基づいて、チャンネルスキャン及び当該チャンネルの選局の開始時刻を自動的に設定する手段（Ｓ１２）と、開始時刻に到ると、設定されたチャンネルスキャン及び当該チャンネルの選局を開始する手段（Ｓ１３）と、選局して得られた番組情報を所定の表示部に表示する手段（Ｓ１３）とを備える。【選択図】図６
2009290696.tif 000002
【特許請求の範囲】
【請求項１】
モバイル向けの局所的な放送における視聴者属性情報に即した番組情報を受信する受信装置であって、
視聴者属性情報に即した番組情報に関連付けられた、該番組情報のチャンネルスキャンの情報、及び該番組情報を選局するチャンネルの情報を提示する外部情報を事前に所定の情報提供媒体から取得する手段と、
前記外部情報の取得と同時に、前記チャンネルスキャンの情報及び選局するチャンネルの情報に基づいて、チャンネルスキャン及び当該チャンネルの選局の開始時刻を自動的に設定する手段と、
前記開始時刻に到ると、設定されたチャンネルスキャン及び当該チャンネルの選局を開始する手段と、
選局して得られた前記番組情報を所定の表示部に表示する手段と、
を備えることを特徴とする、受信装置。
【請求項２】
前記表示部に表示された番組情報が番組情報一覧として提示されている場合に、
特定の番組情報について、前記受信装置を利用する視聴者によって選定された番組情報が、前記番組情報の開始時刻に至ると自動的に該番組のチャンネルに選局して当該番組を受信し、番組終了時刻まで蓄積する手段を更に有することを特徴とする、請求項１に記載の受信装置。
【請求項３】
前記受信装置を利用する視聴者、又は番組情報提供者によって指定された時刻の範囲内で放送される番組情報を特定する外部情報が、前記所定の情報提供媒体に付与されていることを特徴とする、請求項１又は２に記載の受信装置。
【請求項４】
前記受信装置を利用する視聴者、又は番組情報提供者によって指定された特定の地域に関する番組情報を特定する外部情報が、前記所定の情報提供媒体に付与されていることを特徴とする、請求項１又は２に記載の受信装置。
【請求項５】
請求項１〜４のいずれか一項に記載の受信装置を利用する視聴者、又は番組情報提供者によって指定された時刻の範囲内で放送される番組情報を特定して、前記所定の情報提供媒体を生成する受信制御情報生成装置であって、
前記所定の情報提供媒体は、前記番組情報に関連付けられた、該番組情報のチャンネルスキャンの情報、及び該番組情報を選局するチャンネルの情報を提示する外部情報を有することを特徴とする、受信制御情報生成装置。
【請求項６】
請求項１〜４のいずれか一項に記載の受信装置を利用する視聴者が視聴可能な時刻の範囲内で放送される番組情報を想定される視聴者像ごとに複数種の番組の組み合わせで提示するコンテンツ編成制御装置であって、
前記複数種の番組の組み合わせを請求項５に記載の受信制御情報生成装置に供給することを特徴とする、コンテンツ編成制御装置。
【請求項７】
請求項６に記載のコンテンツ編成制御装置から、前記複数種の番組の組み合わせを編成するための制御信号を受信する手段と、
前記制御信号に基づいて前記複数種の番組の組み合わせのコンテンツを編成する手段と、
編成したコンテンツをループさせて１つの放送チャンネルを形成する手段と、
複数のコンテンツをそれぞれのワンセグ放送チャンネルで連結再送信する手段と、
を備えることを特徴とする、送信装置。
【発明の詳細な説明】
【技術分野】
【０００１】
本発明は、モバイルサーバー型放送に対応した送信装置及び受信装置に関し、特に、受信装置のチャンネル設定・初期選局を実行する送信装置及び携帯型の受信装置に関する。
【背景技術】
【０００２】
現在のデジタル放送では、その地域で放送されている放送番組を初めて受信しようとする受信装置の視聴者（以下、単に、視聴者とも称する）が、受信装置の初期設定を「チャンネルスキャン（初期スキャン又は再スキャン等）」として知られるチャンネル初期設定操作を手動で行い、初めて受信が可能となる。また、ワンセグ放送の連結再送信装置も開発されており、今後は局所的な多チャンネル化が進んでいくものと考えられる。更に、モバイルサーバー型放送は、局所的な地域放送として、日本国内ではＩＳＤＢ−Ｔｍｍ、ＭｅｄｉａＦＬＯなどの規格が現在検討段階であり、近い将来サービスが開始されることが予想される。
【０００３】
一方、地域放送について、位置情報をトリガーとして受信制御を行う携帯型の受信端末の省電力化を図る技術が開示されている（例えば、特許文献１参照）。
【０００４】
【特許文献１】特開２００７−２２８２４１号公報
【発明の開示】
【発明が解決しようとする課題】
【０００５】
携帯型の受信装置を対象としたモバイルサーバー型放送サービスの利用態様について考えると、公共交通機関での移動中（例えば、電車内）や、地下街などの中継局からの電波が届かない場所にいる時で、空いている時間を有効活用したい場合が想定される。こういった状況でサービスを提供する際、その空間で再送信が行われていることをどのようにして周知するか、どのような内容でどのような長さの番組をどのような周期で提供するのが相応しいか、が重要な課題となる。
【０００６】
前述した特許文献１の技術は、短距離通信技法を用いて視聴者の位置情報を取得し、視聴者の利用する受信装置を自動的且つ選択的に作動させることにより省電力化を図るものである。しかしながら、この技術に基づいて視聴者の位置情報を取得しても、視聴者がいつまで該当する番組の受信環境にいられるかが特定できず、モバイルサーバー型放送に係る番組情報を完全に受信することができないことが生じうる。ここで、提供する番組情報に関連する、視聴者が受信環境にいられる時間帯や移動先（目的地）といった視聴者の視聴環境情報と今後の予定や嗜好に関する情報とを、包括的に視聴者属性情報と称する。
【０００７】
本発明の目的は、ワンセグ放送の連結再送信という周波数の有効利用技術としての多チャンネル化の状況と上述の問題に鑑み、モバイルサーバー型放送における視聴者適応型の送信装置及び受信装置を提供することにある。また、本発明の更なる目的は、該送信装置及び受信装置に付随して構成される、受信制御情報生成装置及びコンテンツ編成制御装置を提供することにある。
【課題を解決するための手段】
【０００８】
即ち、本発明による受信装置は、モバイル向けの局所的な放送における視聴者属性情報に即した番組情報を受信する受信装置であって、視聴者属性情報に即した番組情報に関連付けられた、該番組情報のチャンネルスキャンの情報、及び該番組情報を選局するチャンネルの情報を提示する外部情報を事前に所定の情報提供媒体から取得する手段と、前記外部情報の取得と同時に、前記チャンネルスキャンの情報及び選局するチャンネルの情報に基づいて、チャンネルスキャン及び当該チャンネルの選局の開始時刻を自動的に設定する手段と、前記開始時刻に到ると、設定されたチャンネルスキャン及び当該チャンネルの選局を開始する手段と、選局して得られた前記番組情報を所定の表示部に表示する手段と、を備えることを特徴とする。
【０００９】
また、本発明による受信装置において、前記表示部に表示された番組情報が番組情報一覧として提示されている場合に、前記受信装置を利用する視聴者によって選定された番組情報が、前記番組情報の開始時刻に至ると自動的に該番組のチャンネルに選局して当該番組を受信し、番組終了時刻まで蓄積する手段を更に有することを特徴とする。
【００１０】
また、本発明による受信装置において、前記受信装置を利用する視聴者、又は番組情報提供者によって指定された時刻の範囲内で放送される番組情報並びに特定の地域に関連する番組情報を特定する外部情報が、前記所定の情報提供媒体に付与されていることを特徴とする。ここで、特定の地域に関連する番組情報を提供する場合、その用途は「サーバー型」に限られるものではなく、より一般的なリアルタイム視聴の「モバイル向けの局所的な放送」に適用することができる。
【００１１】
また、本発明による受信装置において、前記受信装置を利用する視聴者、又は番組情報提供者によって指定された特定の地域に関する番組情報を特定する外部情報が、前記所定の情報提供媒体に付与されていることを特徴とする。
【００１２】
更に、本発明による受信制御情報生成装置は、本発明の受信装置を利用する視聴者によって指定された時刻の範囲内で放送される番組情報を特定して、前記所定の情報提供媒体を生成する受信制御情報生成装置であって、前記所定の情報提供媒体は、前記番組情報に関連付けられた、該番組情報のチャンネルスキャンの情報、及び該番組情報を選局するチャンネルの情報を提示する外部情報を有することを特徴とする。
【００１３】
更に、本発明によるコンテンツ編成制御装置は、受信装置を利用する視聴者が視聴可能な時刻の範囲内で放送される番組情報を想定される視聴者像ごとに複数種の番組の組み合わせで提示するコンテンツ編成制御装置であって、前記複数種の番組の組み合わせを本発明の受信制御情報生成装置に供給することを特徴とする。
【００１４】
更に、本発明による送信装置は、本発明のコンテンツ編成制御装置から、前記複数種の番組の組み合わせを編成するための制御信号を受信する手段と、前記制御信号に基づいて前記複数種の番組の組み合わせのコンテンツを編成する手段と、編成したコンテンツをループさせて１つの放送チャンネルを形成する手段と、複数のコンテンツをそれぞれのワンセグ放送チャンネルで連結再送信する手段と、を備えることを特徴とする。
【発明の効果】
【００１５】
本発明によれば、受信装置にて特定地域の番組情報に関するチャンネルスキャン及び初期選局を自動的に行うため、視聴者は、受信装置の受信環境に適応した情報を、より快適に視聴することができるようになる。
【００１６】
特に、モバイルサーバー型放送においては、一定期間良好な受信環境である必要があるため、視聴者の利便性が向上する。また、実施例のように乗車券にＱＲコードを印刷することにより、公共交通機関での移動中にも再送信された局所的な放送番組を、広く一般に利用可能にすることもできる。
【発明を実施するための最良の形態】
【００１７】
以下に説明する実施例は、公共交通機関での移動中（例えば、電車内）の視聴者が、携帯電話などの受信装置を用いて、電車内における特定時刻のモバイルサーバー型放送の放送番組を受信する場合を想定している。
【００１８】
まず、本実施例のモバイルサーバー型放送におけるコンテンツサービスシステムについて説明する。ただし、モバイルサーバー型放送については、まだ日本国内ではサービスを開始していないが、ワンセグ放送の連結再送信される番組情報を想定して説明する。
【００１９】
図１は、モバイルサーバー型放送におけるコンテンツサービスシステムの構成図である。コンテンツサービスシステムは、受信装置１００と、受信制御情報生成装置２００と、コンテンツ編成制御装置３００と、送信装置４００とを備える。
【００２０】
［システム構成］
受信装置１００は、図２に示すように、既存の携帯端末の構成に下記の機能を付加することで実現することができる。本実施例に係る機能を実現するために、受信装置１００は、当該受信装置１００を操作するためのユーザインタフェース部１０と、所定の情報提供媒体（例えば、電車の乗車券）に付与されたＱＲコードを読み取るためのＱＲコードリーダー部１１と、当該受信装置１００全体を制御する演算・制御部１２と、アンテナ１４を介して受信した放送波をチャンネル選択し、所定のチャンネルの番組情報を受信するワンセグ受信機部１３と、受信した番組情報を表示する表示部１５と、受信した番組情報を一時的に格納するメモリー部１６と、受信装置１００を制御するためのプログラム及び各データを格納する外部記憶装置１７と、受信する番組情報の開始又は終了の時間を管理するタイマー部１８とを備える。
【００２１】
本実施例の受信装置１００は、公共交通機関での移動中（例えば、電車内）にてチャンネルスキャン時、及びチャンネルスキャン後のチャンネル（＝ポータルチャンネル）の自動選局（＝初期選局）時に、予め視聴者属性情報が付与された乗車券から、出発地及び目的地の情報、及び再送信電波を受信可能である地域的な放送番組の時刻・時間情報を活用する。具体的には、受信装置１００は、視聴者属性情報が関連付けられた外部情報を、乗車券に付与されたＱＲコードから取得する機能を有する。この取得する外部情報には、放送番組を受信するためのチャンネルスキャン時刻の範囲の情報、及びチャンネルスキャンが終了した後に自動的に選局するための、ポータルチャンネル情報に基づく制御情報が含まれている。
【００２２】
従って、受信装置１００は、視聴者属性情報に即した番組情報に関連付けられた、該番組情報のチャンネルスキャンの情報、及び自動選局するポータルチャンネルの情報を提示する外部情報を事前に所定の情報提供媒体（例えば、電車の乗車券）から取得し、外部情報の取得と同時に、チャンネルスキャンの情報及び選局するチャンネルの情報に基づいて、チャンネルスキャン及び当該チャンネルの選局の開始時刻を自動的に設定し、開始時刻に到ると、設定されたチャンネルスキャン及び当該チャンネルの選局を開始し、選局して得られた視聴者属性情報に即した番組情報を所定の表示部１５に表示する。
【００２３】
更に、受信装置１００は、表示部１５に表示された番組情報が番組情報一覧として提示されている場合に、特定の番組情報について、受信装置１００を利用する視聴者によって選定された番組情報が、番組情報の開始時刻に至ると自動的に該番組のチャンネルに選局して当該番組を受信し、番組終了時刻まで蓄積する。
【００２４】
受信制御情報生成装置２００は、図３に示すように、既存の乗車券発行システムにおける部分装置の構成に下記の機能を付加することで実現することができる。本実施例に係る機能を実現するために、受信制御情報生成装置２００は、当該受信制御情報生成装置２００全体を制御する演算・制御部５１と、乗車券毎に列車運行タイムを管理する列車運行タイムテーブル５２と、入力される視聴者属性情報（出発地、目的地、乗車時刻及び乗車時間を含む）を一時的に格納するメモリー部５３と、受信制御情報生成装置２００を制御するためのプログラム及び各データを格納する外部記憶装置５４と、入力される視聴者属性情報に応じた放送番組の時刻・時間情報を乗車券に付与するために、ＱＲコードを生成するＱＲコード生成出力部５５と、当該受信制御情報生成装置２００を操作するためのユーザインタフェース部５６と、放送番組を時間管理するタイマー部５７とを備える。
【００２５】
本実施例の受信制御情報生成装置２００は、視聴者属性情報（出発地、目的地、乗車時刻及び乗車時間を含む）から、電車内で再送信中の放送チャンネルのうち、視聴者のニーズに適合する放送番組のチャンネルを１つ以上選定し、予め用意した視聴者像の中からチャンネル集合に最も適合する視聴者像を選定して、チャンネルスキャン時刻の情報、及び、視聴者像に１対１対応するポータルチャンネル情報を外部情報として生成し、例えばＱＲコードとして当該乗車券に付加する機能を有する。
【００２６】
コンテンツ編成制御装置３００は、図４に示すように、既存のサービスサーバ（ワンセグ受信機能付きコンピュータ）の構成に下記の機能を付加することで実現することができる。本実施例に係る機能を実現するために、コンテンツ編成制御装置３００は、所定のサービスプロバイダからの複数種の番組情報を提供するための制御信号を送信装置４００に送出するための通信部４０と、当該コンテンツ編成制御装置３００全体を制御する演算・制御部４１と、アンテナ４３を介して所定のサービスプロバイダからの複数種の番組情報を受信するワンセグ受信機部４２と、受信した複数種の番組情報を一時的に格納するメモリー部４４と、コンテンツ編成制御装置３００を制御するためのプログラム及び各データを格納する外部記憶装置４５と、当該コンテンツ編成制御装置３００を操作するためのユーザインタフェース部４６と、受信した複数種の番組情報について地域的な放送番組毎に放送時間を管理するタイマー部４７と、例えばネットワークを介して所定のサービスプロバイダから提供される複数種の番組情報を格納するメディアの読み書きを制御するメディアリーダ／ライタ装置４８とを備える。
【００２７】
本実施例のコンテンツ編成制御装置３００は、コンテンツの番組情報案内として編成させるための制御信号を送信装置４００に送信する。また、コンテンツ編成制御装置３００は、各チャンネルのコンテンツを受信制御情報生成装置２００に供給する。即ち、コンテンツ編成制御装置３００は、編成・生成するチャンネル情報と、想定した視聴者像の属性情報とを、「番組情報」として受信制御情報生成装置２００に送る。
【００２８】
これにより、送信装置４００及び受信制御情報生成装置２００は、チャンネル毎の番組情報を共有することができる。
【００２９】
また、本実施例のコンテンツ編成制御装置３００は、制御信号（送信装置４００に蓄積された番組から再送信させるコンテンツを編成する信号）を送信装置４００に送出する。この時、乗車時間や目的地といった視聴者の様々な状況を想定し、編成を行う。また、コンテンツ編成制御装置３００は、想定したそれぞれの視聴者像に対応する選局用の番組一覧チャンネル（ポータルチャンネル）を生成するための制御信号を送出する。このポータルチャンネルは、多階層構造のＢＭＬを用いるのが好適である。また、ポータルチャンネルは、選局を容易とするために、常に１チャンネルに割り当てるのが更に好適である。
【００３０】
尚、本サービスを提供するサービスプロバイダは、まず、送信装置４００を利用して再送信するコンテンツの一部としての番組を蓄積する。再送信される番組は、送信装置４００でワンセグ放送を受信するか、又は接続される外部メディア（図示せず）から読み込み、蓄積する。或いは又、コンテンツ編成制御装置３００で同様に取得した番組を送信装置４００に送信してもよい。これらの蓄積及び再送信は、コンテンツの更新毎に行うことになる。この際、コンテンツ（チャンネル）内の一部の番組の差し替えなどの場合で、その内容の変化が、想定される視聴者のニーズを変更しないようなものである場合、単に番組の差し替えと、必要であればポータルチャンネルのリビルド操作のみを行えばよい。
【００３１】
送信装置４００は、図５に示すように、既存の再送信装置の構成に下記の機能を付加することで実現することができる。本実施例に係る機能を実現するために、送信装置４００は、複数種の番組情報を提供するための制御信号をコンテンツ編成制御装置３００から受信するための通信部２０と、当該送信装置４００全体を制御する演算・制御部２１と、アンテナ２３を介して所定のサービスプロバイダからの複数種の番組情報を受信するワンセグ受信機部２２と、受信した複数種の番組情報を一時的に格納するメモリー部２４と、送信装置４００を制御するためのプログラム及び各データを格納する外部記憶装置２５と、受信した複数種の番組情報をセグメント単位に周波数変換して連結するワンセグ連結装置２６と、連結した複数種の番組情報について地域的な放送番組毎に時間管理するタイマー部２７と、アンテナ２９を介してワンセグ連結したチャンネルの地域的な放送番組を再送信する送信装置２８と、例えばネットワークを介して所定のサービスプロバイダから提供される複数種の番組情報を格納するメディアの読み書きを制御するメディアリーダ／ライタ装置３０とを備える。
【００３２】
本実施例の送信装置４００は、コンテンツ編成制御装置３００からの制御情報によりコンテンツを編成する機能と、コンテンツをループすることで１つの放送チャンネルとする機能と、ワンセグ放送を受信する機能と、放送チャンネルの連結再送信を行う機能と、再送信する番組を蓄積する機能と、外部メディアより放送可能なコンテンツに変換する機能とを有するのが好適である。
【００３３】
本実施例では、送信装置４００は、コンテンツ編成制御装置３００から放送番組のコンテンツを取得し、チャンネル毎の番組情報としてのコンテンツを各チャンネルの番組情報案内として編成し、所定のチャンネルで指定される放送番組を電車内で送信する。
【００３４】
即ち、送信装置４００は、コンテンツ編成制御装置３００からの制御信号に従って編成するコンテンツとして、多くの地域情報、番組の放送開始時間及び放送終了時間に応じて複数種の組み合わせを生成する。例えば、同じ内容の番組であっても１つの番組の放送時間・放送周期などに応じて多種多様な組み合わせを用意することができる。また、送信装置は、視聴者属性情報に応じて想定される視聴者のニーズを選定し、複数のポータルチャンネル機能（番組情報案内のチャンネルと番組情報の他チャンネルへの選局の機能を有する）を用意する。これは、或る地域において或る時刻に発車し、或る目的地へと向かう電車に乗車する受信装置を所有する視聴者が、これらの番組を適応的に選局することができるようにするためである。尚、送信装置４００は、設定するチャンネルに余裕がある場合、又は放送できる番組情報自体が少ない場合は、単一の番組を単一チャンネルでループして放送するようにしてもよい。
【００３５】
これにより、視聴者の状況を含む属性情報により適した形態でのモバイルサーバー型放送コンテンツの提供を可能とする。
【００３６】
尚、携帯電話内のアプリケーションを介したチケットレス乗車システムを想定する場合は、受信制御情報生成装置２００を受信装置１００内にアプリケーションとして内蔵してもよい。また、コンテンツ編成制御装置３００と送信装置４００とを単一の装置として構成し、各機能として実現することもできる。
【００３７】
以下、モバイル向け（例えば、サーバー型）放送におけるコンテンツサービスシステムのより詳細な機能及び動作について説明する。
【００３８】
［システム動作］
図６に、モバイル向け放送におけるコンテンツサービスとしての番組案内を得るための制御フローを示す。ここでは、受信装置１００は、ＱＲコード付き指定席乗車券を利用し、公共交通機関内で対応するチャンネルの再送信される電波を受信するモバイル向け放送対応のワンセグ受信機として構成した例を説明する。
【００３９】
ステップＳ１１にて、受信装置１００は、乗車券に印刷されたＱＲコードがＱＲコードリーダー部１１で読み取られると、受信装置１００内の外部記憶装置１７に格納されるソフトウェアアプリケーション及び演算制御部１２の制御により、ＱＲコードに含まれるチャンネルスキャンの制御情報、及びチャンネルスキャン後のポータルチャンネル情報を抽出する。
【００４０】
尚、図８に示すように、受信装置１００の視聴者によって購入される乗車券発行時に、乗車券８１の発行で特定される視聴者属性情報（出発地、目的地、乗車時刻及び乗車時間を含む）と、送信装置４００から送信される放送番組とを関連付けた外部情報は、受信制御情報生成装置２００によって、ＱＲコード８２として乗車券８１に付与されている。
【００４１】
従って、このＱＲコードから読み取られる外部情報には、乗車券情報等を基に想定される視聴者像（予め想定された視聴者のニーズ）に対応するポータルチャンネル情報、スキャンが必要な周波数帯情報、及びチャンネルスキャン（初期スキャン又は再スキャン等）可能な時間帯情報が含まれている。
【００４２】
ステップＳ１２にて、受信装置１００は、抽出したチャンネルスキャンの制御情報によって指定される時間に、当該受信装置１００のチャンネルスキャン（初期スキャン又は再スキャン等）を自動的に行う。
【００４３】
この自動的にチャンネルスキャンが行われる動作タイミングは、例えば、ＱＲコードの読み取りが乗車前であれば乗車する列車の発車予定時刻にスキャンし、ＱＲコードの読み取りが乗車中であれば即スキャンを開始する。
【００４４】
ステップＳ１３にて、受信装置１００は、抽出したポータルチャンネル情報によって指定されるチャンネルに自動的に選局する。
【００４５】
続いて受信装置１００は、複数種ある放送番組の組み合わせからなる番組情報案内を表示部１５に表示する。これにより、受信装置１００のユーザ（視聴者）は、複数種ある放送番組の番組一覧（個別の番組案内を含む）を知ることができる。
【００４６】
図７に、モバイルサーバー型放送におけるコンテンツサービスとしての番組案内における番組情報をダウンロード（即ち、番組情報の蓄積）するための制御フローを示す。
【００４７】
ステップＳ２１にて、受信装置１００を利用する視聴者は、ユーザインタフェース部１０を介して、表示部１５に提示された番組一覧から所望の番組を選定し、個別の番組案内を表示部１５に表示させる。この受信装置１００における番組情報案内の画面例を図９に示す。図９（Ａ）及び図９（Ｂ）に示す画面８３には、ダウンロード予約可能な番組情報案内が、視聴者に提示される。
【００４８】
ステップＳ２２にて、受信装置１００を利用する視聴者によって、表示部１５に提示された番組情報案内のダウンロードが選定されると（図９参照）、受信装置１００の演算・制御部１２は、タイマー部１８を用いて当該番組のダウンロードに必要な情報（チャンネル・開始時刻・終了時刻・番組タイトル等）を設定する。
【００４９】
ステップＳ２３にて、当該番組の放送開始時刻の所定時間前（例えば、１０秒前）になると、受信装置１００の演算・制御部１２は、その旨を表示部１５に表示する。ただし、必ずしも表示する必要があるわけではなく、随意受信装置１００を利用する視聴者によって表示させるか否かを設定することができる。
【００５０】
ステップＳ２４にて、当該番組の放送開始時刻になると、受信装置１００の演算・制御部１２は、ダウンロード予約の番組のチャンネルに選局して、当該番組のコンテンツを受信する。
【００５１】
ステップＳ２５にて、当該番組の放送終了時刻になるまで、受信装置１００の演算・制御部１２は、当該番組のコンテンツをメモリー部１６又は外部記憶装置１７に蓄積する。
尚、予めＱＲコード８２から取得したポータルチャンネル情報に基づいて、乗車中に蓄積可能な番組が受信制御情報生成装置２００により選定されているため、選択可能な放送番組は全て、放送時間と蓄積時間が蓄積可能な範囲内に抑えられている。
【００５２】
これにより、受信装置１００を利用する視聴者は、任意の時刻に（即ち、下車したとしても）、蓄積した番組を視聴することができる。これは、特に各地域における情報を有効に入手し、且つ利用することができることを意味している。
【００５３】
上述の実施例については公共交通機関での移動中を代表的な例として説明したが、本発明の趣旨及び範囲内で、多くの変形及び置換することができることは当業者に明らかである。例えば、公共交通機関以外にも、商店街又は博物館などに設置された案内板などに付与されたＱＲコードを読み取り、局所的に放送される番組情報を読み取るようにすることもできる。或いは又は、ＱＲコードの代わりに、バーコード，ＩＣチップ等を用いて構成してもよい。従って、本発明は、上述の実施例によって制限するものと解するべきではなく、特許請求の範囲によってのみ制限される。
【産業上の利用可能性】
【００５４】
本発明によれば、特定地域の方法を自動的にチャンネルスキャン及び初期選局を行うため、モバイルサーバー型放送を扱う用途に有用である。
【図面の簡単な説明】
【００５５】
【図１】本発明による一実施例のモバイルサーバー型放送におけるコンテンツサービスシステムの構成図である。
【図２】本発明による一実施例の受信装置を示す図である。
【図３】本発明による一実施例の受信制御情報生成装置を示す図である。
【図４】本発明による一実施例のコンテンツ編成制御装置を示す図である。
【図５】本発明による一実施例の送信装置を示す図である。
【図６】本発明による一実施例のモバイル向け放送におけるコンテンツサービスとしての番組案内を得るための制御フローを示す図である。
【図７】本発明による一実施例のモバイルサーバー型放送におけるコンテンツサービスとしての番組案内における番組情報をダウンロードするための制御フローを示す図である。
【図８】本発明による一実施例の情報提供媒体の一例としての乗車券を示す図である。
【図９】本発明による一実施例の受信装置における番組情報案内の画面例を示す図である。
【符号の説明】
【００５６】
１０  ユーザインタフェース部
１１  ＱＲコードリーダー部
１２  演算・制御部
１３  ワンセグ受信機部
１４  アンテナ
１５  表示部
１６  メモリー部
１７  外部記憶装置
１８  タイマー部
２０  通信部
２１  演算・制御部
２２  ワンセグ受信機部
２３  アンテナ
２４  メモリー部
２５  外部記憶装置
２６  ワンセグ連結装置
２７  タイマー部
２８  送信装置
２９  アンテナ
３０  メディアリーダ／ライタ装置
４０  通信部
４１  演算・制御部
４２  ワンセグ受信機部
４３  アンテナ
４４  メモリー部
４５  外部記憶装置
４６  ユーザインタフェース部
４７  タイマー部
４８  メディアリーダ／ライタ装置
５０  通信部
５１  演算・制御部
５２  列車運行タイムテーブル
５３  メモリー部
５４  外部記憶装置
５５  ＱＲコード生成出力部
５６  ユーザインタフェース部
５７  タイマー部
８１  乗車券
８２  ＱＲコード
８３  表示部の画面
１００  受信装置
２００  受信制御情報生成装置
２００ａ  視聴者属性情報
３００  コンテンツ編成制御装置
４００  制御信号を送信装置
【図１】
2009290696.tif 000003
【図２】
2009290696.tif 000004
【図３】
2009290696.tif 000005
【図４】
2009290696.tif 000006
【図５】
2009290696.tif 000007
【図６】
2009290696.tif 000008
【図７】
2009290696.tif 000009
【図８】
2009290696.tif 000010
【図９】
2009290696.tif 000011